(57)【要約】【課題】  簡単な構造で清掃が容易でかつ、装着が容易な男性用採尿器を提供することである。【解決手段】  尿を蓄える容器（１）の先端部に備えた陰茎固定部（３）に、陰茎を固定する機能及び尿の漏れを防止する機能を有する柔軟な材質の陰茎固定器具（２）を備え、該陰茎固定器具（２）は該容器から分離することができる構造であって、陰茎を囲繞する形状を有することを特徴とする使用者の身体に直接装着する男性用採尿器。  本願発明の採尿器は自力で排尿することができない男性要介護認定者の簡便な排尿が可能となり、襁褓のように毎回交換する部分を持たないため環境負荷の点でも有効である。【選択図】図１
0003136159.tif 000002
【実用新案登録請求の範囲】
【請求項１】
尿を蓄える容器（１）の先端部に備えた陰茎固定部（３）に、陰茎を固定する機能及び尿の漏れを防止する機能を有する柔軟な材質の陰茎固定器具（２）を備え、該陰茎固定器具（２）は該容器から分離することができる構造であって、陰茎を囲繞する形状を有することを特徴とする使用者の身体に直接装着する男性用採尿器。
【請求項２】
陰茎固定器具（２）が環状に成形されており、環の一部は陰茎を側面から囲繞できるように切断面を有する請求項１記載の男性用採尿器。
【請求項３】
陰茎固定器具（２）の内径Ｂと、該陰茎固定器具の切断面の幅ＣがＣ≦Ｂの関係を満たす請求項１又は２記載の男性用採尿器。
【請求項４】
陰茎固定器具（２）が海綿状スポンジである請求項１、２又は３記載の男性用採尿器。
【考案の詳細な説明】
【技術分野】
【０００１】  この発明は、男性の寝たきり患者、老人等の小便の処理具に関する。
【背景技術】
【０００２】  社会の高齢化に伴い、種々の原因により寝たきりとなる患者が増加している。自力にて排尿を処理することが困難な者は、一般的に襁褓を利用して処理しているが、交換に手間がかかる、襁褓と皮膚の接触部がかぶれる、コストが高い等の問題があり、介護者の大きな負担となっていた。一方、近年は襁褓としても紙製の物が主流であり環境への配慮からも襁褓に替わる採尿器が求められていた。
これらの要求から、種々の採尿器の開発が進められており、特に男性用の物はゴム上のサックを陰茎に装着しホースを用いて尿を尿器に誘導する形式の採尿器が開示されているが（特許文献１、２及び３参照）、以下の点で実用的ではなかった。
１．  構造が複雑であるため洗浄が困難。
２．  不潔になりやすい。
３．  価格が高い
また、尿貯留部と陰茎固定部が一体となった尿器の開示もあるが、構造上常時身体に身につけて使用することは使用者に多大な負担をしいるものであった。
一方、尿貯留部と陰茎固定部が一体となって、常時使用することができる尿器の開示もされている。この尿器は、前述の欠点を解消している点で優れているが、陰茎への装着方法の点で改良の余地があった。【０００３】
【特許文献１】  特開平１０−１９２３４７号公報
【特許文献２】  特開昭５９−４６５１９号公報
【特許文献３】  特開昭６０−１０９６１７号公報
【特許文献４】  実願昭５６−１１０７９７号（実開昭５８−１６１２６号）のマイクロフィルム
【特許文献５】  特開平８−３２２８６９号公報
【特許文献６】  実願昭６３−９３２７７号（実開平２−１５１１９号）
【特許文献７】  国際公開第２００３／６８１２７号パンフレット
【考案の開示】
【考案が解決しようとする課題】
【０００４】  本発明の課題は簡単な構造で清掃が容易でかつ、装着が容易な男性用採尿器を提供することである。
【課題を解決するための手段】
【０００５】  本願発明者は、上記課題について検討を行った結果次に記載する構成の男性用採尿器の完成に至った。本願発明は、尿を蓄える容器（１）の先端部に備えた陰茎固定部（３）に、陰茎を固定する機能及び尿の漏れを防止する機能を有する柔軟な材質の陰茎固定器具（２）を備え、該陰茎固定器具（２）は該容器から分離することができる構造であって、陰茎を囲繞する形状を有することを特徴とする使用者の身体に直接装着する男性用採尿器を提供する。
【考案の効果】
【０００６】  本発明の採尿器は複雑な構造を要することなく、清掃が容易で低価格な男性用採尿器であって、陰茎を囲繞するように固定具を装着するため装着も極めて容易に行うことが可能である。本願の尿器を用いることにより自力で排尿することができない男性要介護認定者の簡便な排尿が可能となった。
又、本発明の採尿器は襁褓のように使用毎に交換する必要がないため環境負荷の点でも有効である。
【考案を実施するための最良の形態】
【０００７】  以下に本発明の実施の形態について記載する。
容器（１）及び陰茎固定器具（２）は、陰茎を囲繞するような形態を有し、陰茎に該固定具を装着した後、尿を蓄える容器（１）の先端部に備えた陰茎固定部（３）に圧入することで陰茎を固定する構造を有する。
陰茎固定器具の形状は、陰茎を囲繞し該容器との固定が可能であれば制限はないが、環状か又は環状に近い形状が該容器への装着性の点で好ましい。環状の場合には陰茎を側面から囲繞できるように切断面を有している。
環状の陰茎固定器具の場合、陰茎固定器具の内径Ｂと、該陰茎固定器具の切断面の幅ＣがＣ≦Ｂの関係を満たすことが好ましい。
環状固定器具の場合、容器（１）の先端部の陰茎固定部の内径をａとし、陰茎固定リング（３）の直径をＡとしたとき、ａ及びＡがａ≦Ａ≦２ａの関係を満たすことが好ましく、１２ａ≦Ａ≦２ａの関係を満たすことがより好ましい。【０００８】  陰茎固定器具（２）の素材は、直接陰茎に触れることから適度な通気性を有することが好ましく、海綿、スポンジ等が使用可能であり、スポンジには一般的なウレタンスポンジの他にメラミン製の物やセルロース製の物等知られているが、これら以外にも人体に悪影響が無い物が使用可能である。リングに用いられるスポンジの性状は、密度の高い物から低密度の物が存在するが、装着製通気性の観点から気泡が不均一で密度が比較的低い物が好ましい。【０００９】  容器（１）の素材は、質量が大きいと脱落の原因となるため軽量であることが好ましく、ポリエチレン、ポリプロピレン、ポリスチレン、ポリ塩化ビニル、ポリ塩化ビニリデン、ポリアクリレート、アセテート、ポリカーボネート、ポリメチルメタクリレートに代表される合成樹脂又はこれらの共重合体が好ましい。容器の形状は尿を貯留する量により種々の形状が可能となるが、一般的な睡眠時間である８時間分の尿を貯留することができる程度の容量を有し、なおかつ、寝たきりの装着ｂ者が装着時に容器の下端が寝具につき重量を支える形状が好ましい。そのため、涙滴型の形状であって、陰茎固定部（２）が本体の軸上に対して５〜８０度の角度をなすことが好ましく、保管時又は尿処理時に倒れないように涙滴型の一部に平面を設けることも好ましく、運搬に便利なように取っ手を装着することも好ましく、これらの形状を同時に有することが特に好ましい。【００１０】  陰茎固定器具（２）の外周は、固定器具を圧入するため特別な形状又は材質を用いなくとも実用的であるが、より脱落しにくくするためには外周部に滑り止めを付加することが好ましい。滑り止めとしては、厚さ１ｍｍ程度のゴムをリングの全周又は一部に貼り付けることが好ましい。
本発明の採尿器は、ほとんど寝返りを打つことが困難な状態の使用者に装着することが好ましく、介護保険制度により定められた、要介護認定４又は５程度の介護を要する装着者に使用することが特に好ましい。
【実施例】
【００１１】  以下に実施例を挙げてさらに詳細に発明を説明するが、本発明は実施例に限定されるものではない。
（実施例１）
本発明の尿器を要介護認定４の男性要介護者に以下に示す方法で装着した。
陰茎固定器具（２）を、素材として株式会社アイガーツール製、特大スポンジ（材質セルウレタンフォーム）を用い、図１において陰茎固定器具（２）の直径Ａを６５ｍｍ、陰茎挿入口の直径Ｂを３０ｍｍ、固定器具の厚さ３０ｍｍ、切断面の幅を約０ｍｍとし作製した。
貯尿容器はアセテート製の浅井商事（株）製、ダイヤ印透明尿器男性用を用いた。この容器の陰茎固定部の直径ａは５５ｍｍである。
装着は図３に示すように、陰茎を囲繞するように固定具を装着した後、固定具を圧縮し貯尿容器の陰茎固定部に挿入する。（図４及び図５）
尿器装着後の装着者と尿器の位置関係を図６に示す。本実施例の場合装着者が横向きに寝ているため装着者の横に尿器が置かれる形となる。
本発明の尿器の使用により、就寝時には従来使用していた襁褓をほとんど使用することがなくなった。又、複雑な機構を要しないため洗浄が楽で、装着者の心理的な負担も軽減する事ができた。【００１２】（実施例２）
実施例１で使用した陰茎固定器具（３）の外周に、１５ｍｍの正方形で厚さ０．５ｍｍのゴムを等間隔で貼り付け滑り止めとした。この陰茎固定リングを装着者が仰向きに寝る以外は実施例１と同様にして本発明の尿器を使用した。この場合、尿器は仰向けに寝た装着者の股間におかれる形となる。（図７）
本実施例においても実施例１と同様の効果を得ることができた。この場合より尿器は脱落しにくい特徴を有する。【００１３】（比較例１）
コンビ社製安楽尿器を用い、実施例１と同じ装着者に装着した。この尿器は尿を採取する機能では劣らないものの、構造が複雑で洗浄が困難であるため不潔になり易かった。又、装置が複雑な上装着にベルト等により締め付けることが必要であるため、装着者の快適性が損なわれ、心理的な負担も大きなものであった。
【図面の簡単な説明】
【００１４】
【図１】  陰茎固定器具三面図（変形前）
【図２】  男性用採尿器全体図
【図３】  陰茎固定器具の装着法１
【図４】  陰茎固定器具の装着法２
【図５】  陰茎固定器具の装着法３
【図６】  装着者と尿器の関係（横向きに寝た場合）
【図７】  装着者と尿器の関係（仰向けに寝た場合、陰茎装着部は透視）
【符号の説明】
【００１５】１  容器
２  陰茎固定器具
３  陰茎固定部
４  陰茎（模式）
５  尿溜まり
【図１】
0003136159.tif 000003
【図２】
0003136159.tif 000004
【図３】
0003136159.tif 000005
【図４】
0003136159.tif 000006
【図５】
0003136159.tif 000007
【図６】
0003136159.tif 000008
【図７】
0003136159.tif 000009